(57)【特許請求の範囲】
【請求項１】
メディアゲートウェイ（２０）を制御する方法であって、
コマンドが実行される条件を含む該コマンドを、メディアゲートウェイコントローラ（１０）から受信するステップと、
前記コマンドに含まれる前記条件が満たされているかどうかを検証するステップと、
前記条件が満たされないと、前記コマンドは実行されず、前記条件が満たされていると、前記コマンドを実行するステップと
を含み、
前記コマンドは、メディアゲートウェイ（２０）の少なくとも１つのターミネイション（２５）をアドレス指定し、
前記コマンドがアドレス指定する前記少なくとも１つのターミネイションが識別され、
前記条件が満たされると、前記コマンドは、少なくとも１つの合致するターミネイションに対して実行され、
前記条件は、プロパティパラメータ及びプロパティ値を含み、
所定のターミネイション（２５）において条件が満たされるかどうかを判定するために、前記所定のターミネイション（２５）に対して、前記プロパティパラメータが所定のプロパティ値に設定されているかどうかが判定され、
前記メディアゲートウェイコントローラ（１０）は、複数のプロセッサ（１１）を含み、
前記コマンドの前記プロパティパラメータは、該コマンドに関連する前記プロセッサ（１１）を識別するグループ指標を含むことを特徴とする方法。
【請求項２】
前記メディアゲートウェイのターミネイションが獲得されると、前記ターミネイションが獲得される際か又はその後の段階で、前記ターミネイション（２５）に対する前記プロパティパラメータが設定されることを特徴とする請求項１に記載の方法。
【請求項３】
前記コマンドは、複数のターミネイション（２５）へアドレス指定され、
前記条件は、前記複数のターミネイション（２５）のうち、何れの少なくとも１つのターミネイション（２５）において前記コマンドがアドレス指定されているかを判定するために使用されることを特徴とする請求項１又は２に記載の方法。
【請求項４】
前記条件は、複合条件ルールによって組み合わされた第１の条件及び第２の条件を含み、
前記複合条件ルールに従って前記第１の条件及び前記第２の条件が満たされると、前記コマンドが実行されることを特徴とする請求項１乃至３の何れか１項に記載の方法。
【請求項５】
前記コマンドは、Ｈ．２４８コマンドであることを特徴とする請求項１乃至４の何れか１項に記載の方法。
【請求項６】
前記コマンドは、前記メディアゲートウェイコントローラ（１０）の所定のプロセッサによって制御される前記ターミネイション（２５）を減じるコマンドであり、
前記所定のプロセッサによって制御される前記複数のターミネイションは、前記条件に含まれる前記グループ指標によって識別されることを特徴とする請求項５に記載の方法。
【請求項７】
前記コマンドは、所定の要件に合致する前記メディアゲートウェイの全てのターミネイション（２５）を変更するコマンドであり、
前記条件は、前記所定の要件を含むことを特徴とする請求項１乃至６の何れか１項に記載の方法。
【請求項８】
前記コマンドは、所定のＩＰドメインに属する全てのターミネイションを取り除くコマンドであることを特徴とする請求項１乃至７の何れか１項に記載の方法。
【請求項９】
メディアゲートウェイ（２０）であって、
コマンドが実行される条件を含む該コマンドを、メディアゲートウェイコントローラ（１０）から受信する受信部（２１）と、
前記コマンドに含まれる前記条件が満たされているかどうかを検証する検証部（２３）と、
前記条件が満たされないと、前記コマンドを実行せず、前記条件が満たされていると、前記コマンドを実行するコントローラ（２４）と
を備え、
前記コマンドは、少なくとも１つのターミネイションをアドレス指定し、
前記メディアゲートウェイ（２０）は、さらに、前記コマンドによってアドレス指定された少なくとも１つのターミネイションを識別する識別部を備え、
前記条件は、プロパティパラメータ及びプロパティ値を含み、
前記検証部は、所定のターミネイションにおいて条件が満たされるかどうかを判定するために、前記所定のターミネイションに対して、前記プロパティパラメータが所定のプロパティ値に設定されているかどうかを判定し、
前記メディアゲートウェイコントローラ（１０）は、複数のプロセッサ（１１）を含み、
前記コマンドの前記プロパティパラメータは、該コマンドに関連する前記プロセッサ（１１）を識別するグループ指標を含むことを特徴とするメディアゲートウェイ（２０）。
【発明の詳細な説明】
【技術分野】
【０００１】
本発明は、メディアゲートウェイを制御する方法、メディアゲートウェイコントローラからメディアゲートウェイへコマンドを送信する方法、及びメディアゲートウェイに関するものである。
【背景技術】
【０００２】
業界の動向は、高容量で拡張可能な移動交換センタ（ＭＳＣ）サーバに向いている。そのようなシステムにおける典型的なアーキテクチャには、複数のブレードを有するブレードクラスタ構造がある。ペイロードを搬送する複数の送信ラインはメディアゲートウェイにおいて終端され、それらの資源の交換はＭＳＣサーバによって制御される。さらに、複数のターミネイションのプールは、メディアゲートウェイで提供され、ＭＳＣの異なる複数のブレードによって制御される。ＭＳＣサーバの１つのブレードが誤作動を起こした場合、上記ブレードによって制御される複数のターミネイションは、他の複数の呼でそれらを利用可能とするために解放されなければならない。これに関して、誤作動を起こしたブレードによって制御される複数のターミネイションは、効果的な方法で解放される必要がある。誤作動を起こしたブレードによって制御される複数のターミネイションを解放する１つの可能性は、各装置へそれぞれサブトラクト・コマンドを送信することによって、異なる複数のターミネイションを減じることである。しかしながら、これは、許容されない信号制御の量やリカバリ時間を表す。
【０００３】
Ｈ．２８４は、マルチメディアゲートウェイにおいて複数の要素における制御のためのものであり、メディアゲートウェイとメディアゲートウェイコントローラとの間の制御プロトコルとして使用される。このプロトコルにおいて、ワイルドカードの仕組みとして、複数のターミネイションＩＤと２つのタイプのワイルドカードを用いることが知られている。これらの２つのワイルドカードは、”ＡＬＬ（全て）”及び”ＣＨＯＳＥ（選択）”である。前者の”ＡＬＬ”は複数のターミネイションを一度にアドレス指定するために使用され、一方で後者の”ＣＨＯＳＥ”は部分的に特定されたターミネイションＩＤを満するターミネイションを選択するべきメディアゲートウェイを示唆するために使用される。
【０００４】
メディアゲートウェイにおけるターミネイションは、メディアの発信元装置、受信装置、及び複数の制御ストリームの少なくとも１つである論理的なエンティティである。各ターミネイションは、固有のエンティティ、ターミネイションＩＤを有する。
【０００５】
コンテキストは、多くのターミネイションの間での関連付けであり、２つ以上のターミネイションが当該関連付けに関与する場合には、トポロジ（誰が誰を聞いている／見ているかを示す）、メディア・ミキシング、及び複数の交換パラメータの少なくとも１つを表す。
【０００６】
コンテキストＩＤ及びターミネイションＩＤの何れか、又は、両方がワイルドカードであってもよい。コンテキスト又はターミネイションをワイルドカードとすることは、コマンドの受信機が複数のコンテキスト及び／又は複数のターミネイションの全ての存在を読み取るという実行条件における基本的なツールを示す。コンテキストＩＤが受信したコンテキストＩＤワイルドカードに一致するのみの場合、又は、ターミネイションＩＤが受信したターミネイションＩＤワイルドカードと一致するのみの場合には、コマンドが実行される。
【発明の概要】
【発明が解決しようとする課題】
【０００７】
しかしながら、このワイルドカードの仕組みは、限られたメッセージのやり取りの中で、複数のターミネイションのプールにおいて、いくつかのターミネイションを効果的にアドレス指定するのに十分とは言えない。
【０００８】
したがって、交換されるメッセージ又はコマンドの数を最小にしつつ、複数のターミネイションをアドレス指定するための効果的な方法を提供する必要性がある。
【課題を解決するための手段】
【０００９】
上記必要性は独立請求項の特徴によって達成される。従属請求項において、本発明の好適な実施形態が説明される。
【００１０】
本発明の第１の態様によれば、メディアゲートウェイを制御する方法が提供され、メディアゲートウェイは、コマンドが実行される条件を含む当該コマンドを、メディアゲートウェイコントローラから受信する。追加のステップにおいて、上記コマンドに含まれる上記条件が満たされているかどうかが検証される。肯定的であれば、即ち、上記条件が満たされていると、上記コマンドが実行される。したがって、条件が満たされた場合のみコマンドが実行され、条件が満たされない場合にはコマンドが送信されたメディアゲートウェイにおいて当該コマンドは実行されない。条件が満たされていない場合は、上記コマンドの送信機へ返答メッセージを送信する以外は何のアクションも行われない。当該返答メッセージは、結果的に、”条件が一致しない”又は”条件が満たされていない”などのエラーメッセージを含む。
【００１１】
好ましくは、コマンドは、メディアゲートウェイの複数のターミネイションを制御するためのコマンドであり、コマンドはメディアゲートウェイの少なくとも１つのターミネイションをアドレス指定する。コマンドが少なくとも１つのターミネイションに対して実行されるかどうかを判定する前に、コマンドがアドレス指定されたターミネイションが識別され、条件が満たされれば少なくとも１つのターミネイションに対してコマンドが実行される。したがって、コマンドによってアドレス指定されたターミネイションを識別した後に、条件が満たされるどうかが検証され、条件が満たされれば、識別されたターミネイションに対してコマンドが実行される。
【００１２】
好ましくは、条件は、プロパティパラメータ及びプロパティ値を含み、所定のターミネイションにおいて条件が満たされるかどうかを判定するために、所定のターミネイションに対して、プロパティパラメータが所定のプロパティ値に設定されているかどうかが判定される。このプロパティパラメータ及び所定のプロパティ値は、ターミネイションの獲得中において設定されてもよい。しかしながら、プロパティパラメータ及び所定のプロパティ値は、その後の段階で、例えば、変更コマンド又は移動コマンドとともに、ターミネイションへ提供されてよい。好ましくは、プロパティパラメータ及びプロパティ値はターミネイションが解放されるまで設定される。
【００１３】
１つのコマンドによって効果的に複数のターミネイションをアドレス指定するために、コマンドが複数のターミネイションへアドレス指定される。その後、条件は、複数のターミネイションのうち、何れの少なくとも１つのターミネイションにおいてコマンドがアドレス指定されているかどうかを判定するために使用される。このように、コマンドにおける条件の提供は、コマンドを複数のターミネイションへアドレス指定する可能性を提供し、当該条件は、何れのターミネイションに対してコマンドがアドレス指定されているかを特定する。
【００１４】
本発明の他の実施形態によれば、条件は、”ＡＮＤ”、”ＯＲ”又は”ＮＯＴ”などの複合条件ルールによって組み合わされた第１の条件及び第２の条件を含んでもよい。複合条件ルールに従って第１の条件及び第２の条件が満たされると、コマンドが実行される。一例として、複合条件ルール”ＡＮＤ”によって２つの条件が組み合わされた場合には、両方の条件が満たされなければならない。また、複合条件ルール”ＯＲ”によって２つの条件が連結されると、コマンドが実行されるためには第１の条件又は第２の条件の何れか一方が満たされなければならない。
【００１５】
メディアゲートウェイコントローラは、例えばマルチブレードアーキテクチャのように、さらに、複数のプロセッサを含み、コマンドのプロパティパラメータは、当該コマンドに関連するプロセッサを識別するグループ指標を含む。一例として、コマンドは、例えばプロセッサが誤作動を起こした場合に、メディアゲートウェイコントローラの所定のプロセッサによって制御されるターミネイションを減じるコマンドであってもよい。この状況において、所定のプロセッサによって制御される複数のターミネイションは、条件に含まれるグループ指標によって識別されうる。本方法において、例えばリスタートに起因する誤作動によって影響を受けるプロセッサは、単一のコマンドで誤作動を起こしたプロセッサによって制御されていた全てのターミネイションを効果的に取り除くことができる。
【００１６】
コマンドは、メディアゲートウェイとメディアゲートウェイコントローラとの間のコマンドを交換するために使用されるＨ．２４８プロトコル又はメディアゲートウェイ制御プロトコルのようなＨ．２４８コマンドであってもよい。
【００１７】
しかしながら、条件を含むコマンドはサブトラクトコマンドに限定されない。条件を含むコマンドは、Ｈ．２４８制御プロトコルにおいて使用される任意のコマンドであってもよい。他の実施例によれば、コマンドは、所定の要件を満たすメディアゲートウェイの全てのターミネイションを変更する変更コマンドであってもよい。一例として、所定の要件は、所定のＩＰドメインに属する全てのターミネイションであることとしてもよい。他の実施例において、条件を含むコマンドは、さらに以下に詳細に説明するように通知コマンドであってもよい。
【００１８】
さらい、本発明は、コマンドを受信するメディアゲートウェイに関する。メディアゲートウェイは、コマンドが実行される条件を含むコマンドを、メディアゲートウェイコントローラから受信する受信部を備える。さらに、コマンドに含まれる条件が満たされているかどうかを検証する検証部が設けられる。メディアゲートウェイに設けられたメディアゲートウェイのコントローラは、コマンドに含まれる条件が満たされていると、コマンドを実行する。
【００１９】
好ましくは、メディアゲートウェイは、コマンドがメディアゲートウェイに提供された複数のターミネイションのうち少なくとも１つのターミネイションをアドレスしている場合に、コマンドによってアドレス指定された少なくとも１つのターミネイションを識別する識別部を備える。
【００２０】
さらに他の態様によれば、メディアゲートウェイコントローラからメディアゲートウェイへのコマンドを送信する方法が提供される。コマンドがメディアゲートウェイに送信される前に、メディアゲートウェイで実行される条件が決定され、条件を含むコマンドメッセージが生成される。さらに、メディアゲートウェイコントローラからメディアゲートウェイへコマンドが送信される。コマンドを受信する受信側のメディアゲートウェイは、上述したようにコマンドを処理する。本発明の一実施形態において、条件は、メディアゲートウェイコントローラがマルチプロセッサコントローラである場合に、コマンドが関連するプロセッサを識別するグループ指標を含んでもよい。メディアゲートウェイコントローラにおいて、複数のプロセッサの１つの誤作動が検出されると、条件として誤作動を起こしたプロセッサを識別子を含むサブトラクトコマンドがメディアゲートウェイへ送信される。
【図面の簡単な説明】
【００２１】
本発明は、添付の図面を参照して以下でより詳細に説明される。
【図１】マルチブレードアーキテクチャを有し、複数のターミネイションのプールを含むメディアゲートウェイを制御するメディアゲートウェイコントローラを示す概略図である。
【図２】条件を含むコマンドを用いてメディアゲートウェイで実行される各ステップを示すフローチャートである。
【図３】誤作動を起こしたブレードによって制御されるターミネイションを減じるために必要となる各ステップを示すフローチャートである。
【発明を実施するための形態】
【００２２】
図１は、複数のブレード１１を有するマルチブレードアーキテクチャのメディアゲートウェイコントローラ１０を示す。各ブレード１１は、それぞれプロセッサ（不図示）を備え、各プロセッサはメディアゲートウェイ２０の複数のターミネイション２５を制御する。この複数のターミネイション２５は、複数のターミネイションのプールとして提供され、複数のブレードのそれぞれは、いずれかのターミネイション２５を制御することができる。１つのブレードが誤作動を起こした場合において、当該ブレードによって制御されている複数のターミネイションは、他のブレードが信号制御用に複数のターミネイションを使用することを許容するために解放されるべきである。本実施形態においては、メディアゲートウェイコントローラ１０は、１つのメディアゲートウェイへ接続される。しかしながら、メディアゲートウェイコントローラ１０がいくつかのメディアゲートウェイへ接続されてもよいことが理解されるべきであり、以下では説明を容易にするため、１つのメディアゲートウェイ２０について参照されるが本発明を限定する意図はない。メディアゲートウェイコントローラは、終端間接続を設定したり解放したりするとともに、呼の接続中に移動度及びハンドオーバの要件を扱い、チャージング及びアカウンティングを管理する。メディアゲートウェイ２０の１つのターミネイション２５は、メディアゲートウェイコントローラ内で１つのブレード１１によって制御される。ターミネイション２５を制御することに関して、メッセージが異なる複数のブレードから当該メッセージが関連付けられるターミネイションへ送信される。一例として、上記メッセージは、ターミネイションを追加するメッセージ、ターミネイションを減じる（解放する）メッセージ、又はターミネイションを変更するメッセージであってもよい。メディアゲートウェイ２０は、メディアゲートウェイコントローラからのコマンドを含むメッセージを受信する受信部２１を備える。上記メッセージは条件を含み、上記コマンドは上記条件が満される場合にのみ実行される。一例として、上記コマンドは、当該コマンドに含まれる条件記述子（ディスクリプタ）によって拡張することができる。上記条件は上記コマンドを送信するブレードの数や、上記コマンドに関連付けられるブレードの数などのプロパティ値を示す、ブレード番号などのプロパティパラメータを含む。メディアゲートウェイは、さらに、コマンドによってアドレス指定された少なくとも１つのターミネイションを識別する識別部２２を備える。上記コマンドは、或る時刻で複数のターミネイション又はコンテキストをアドレス指定することを許容するワイルドカードの仕組みと共に頻繁に使用される。上記条件は、現在何れのターミネイションが上記コマンドについてアドレス指定されているのかを特定することができる条件である。その後、検証部２３は、コマンド内の条件を検出し、コマンド内に含まれる条件が満されているかどうかを検証する。コマンドが複数のターミネイションへアドレス指定されている場合、上記条件は何れのターミネイションがコマンドについてアドレス指定されているかを判定するために使用される。アドレス指定されたターミネイションの識別子はプロパティパラメータ及びプロパティ値で達成されうる。ターミネイションが獲得されると、獲得中にプロパティ値とともにプロパティパラメータが設定されうる。しかしながら、後の段階で、プロパティ値として変更コマンド又は移動コマンドが設定される可能性もある。一例として、ターミネイションの獲得中において、プロパティパラメータは、獲得したターミネイションを制御するブレードを識別するために使用されてもよい。プロパティ値はブレード番号を示す。条件としてブレードのブレード番号を含むサブトラクトコマンドがメディアゲートウェイへ送信されると、１つのブレードによって制御される全てのターミネイションを効果的に解放することが可能である。メディアゲートウェイに設けられたコントローラ２４は、上記条件が満されると上記コマンドを実行する。上述したサブトラクトコマンドの一例として、コントローラ２４はブレードによって制御される全てのターミネイションを解放し、その数は条件に含まれる。プロパティパラメータは、メディアゲートウェイコントローラによって設定され、ターミネイションが解放されるまで維持される。
【００２３】
図２において、本発明を実行するための主なステップが示される。本方法は、ステップ２００から開始される。ステップ２０１において、ターミネイションが、２つ以上のターミネイションが互いに接続される呼に対するコンテキストへ追加される。ターミネイションの獲得中において、プロパティ値とともにプロパティパラメータが設定される。メディアゲートウェイとメディアゲートウェイコントローラとの間のメッセージを交換するためにメディアゲートウェイ制御プロトコルＨ．２４８が使用される場合、新たなＨ．２４８獲得パッケージがブレードを示すためにプロパティとともに必要とされてもよい。この新たな獲得パッケージは、ブレードの指標などの追加の機能を提供することを許容する。ステップ２０２において、メディアゲートウェイコントローラからのコマンドがメディアゲートウェイによって受信され、ステップ２０３において、コマンドによってアドレス指定されたターミネイションが識別（特定）される。ステップ２０４において、コマンドに含まれる条件が識別されたターミネイションに対して満されるかどうかが質問される。条件を満すターミネイションがなければ当該コマンドは実行されず、エラーメッセージがメッセージの送信元へ返送される。一方、ステップ２０４の条件が満されれば、ステップ２０５においてコマンドが実行される。
【００２４】
図３を参照して、本実施形態における、誤作動を起こしたブレードによって制御されるターミネイションが効果的に解放される制御について説明する。ステップ３０１において、獲得されたターミネイションにおいて制御しているブレード番号を示すブレード指標とともにターミネイションが獲得される。一例としてブレードのリスタートに起因してブレードの誤作動が発生する。ステップ３０２において、ブレードの誤作動が検知されると、誤作動を起こしたブレードによって制御されるターミネイションは、それらのターミネイションが他のブレードによって制御される他の呼に対して使用される可能性を提供するために、解放されなければならない。ステップ３０３において、条件として誤作動を起こしたブレードのブレードＩＤを含むサブトラクトコマンドがメディアゲートウェイへ送信される。このコマンドは以下の形式
Ｃｏｎｔｅｘｔ＝ＡＬＬ｛ＳＵＢＴＲＡＣＴ｛Ｔｅｒｍｉｎａｔｉｏｎ＝ＡＬＬ，Ｃｏｎｄｉｔｉｏｎ｛Ｂｌａｄｅ＝ｂｌａｄｅ１｝｝｝
を有する。
【００２５】
ステップ３０４において、コマンドがアドレス指定されたターミネイションを識別（特定）する。本実施形態において、ワイルドカードの仕組み”ＡＬＬ”が使用された場合には、コマンドが基本的にメディアゲートウェイの全てのターミネイションをアドレス指定することが検出される。このステップは上述した図２のステップ２０３に対応する。条件に含まれるブレードＩＤに関して、ブレードの誤動作発生後に解放されるべきターミネイションをより詳細に識別することができる。ターミネイションの獲得中又はその後の段階においてブレード番号のプロパティが既に設定されている場合、誤作動を起こしたブレードによって制御されていたターミネイションを識別することが可能となる。ステップ３０５において、条件に含まれるブレード指標が識別される（上記例では、ブレード１となる。）。次に、ステップ３０６において、各ターミネイション用に設定されたブレード指標を確認することによって、誤作動を起こしたブレードによって影響を受けるターミネイションが当該ブレードによって制御されていたかを判定する。条件に含まれるブレード指標を有するターミネイションはその後ステップ３０７において減じられる（解放される）。
【００２６】
本発明はサブトラクトコマンドに関連して特に有用であるが、当該条件は他のコマンドに関連して使用されてもよい。一例としては変更コマンドである。メディアゲートウェイコントローラのリスタートの後に、しかしベアラ（ＢＮＣ）リリースを解放するために信号が送信される前に、全てのＡＴＭ／ＩＰターミネイションの除去が指示される。しかしながら、当該信号はＡＴＭベアラへのみ適用可能であり、ＩＰベアラには必要とされない。ターミネイションＩＤはＩＰターミネイションであるか、又はＡＴＭターミネイションであるかを示さない。
【００２７】
Ｃｏｎｔｅｘｔ＝ＡＬＬ｛Ｍｏｄｉｆｙ｛Ｔｅｒｍｉｎａｔｉｏｎ＝ＡＬＬ，Ｃｏｎｄｉｔｉｏｎ｛ＢＣＰ／ＢＮＣＣｈａｒ＝ＡＡＬ２｝，ＳｉｇｎａｌＤｅｓｃｒｉｐｔｏｒ｛Ｓｉｇｎａｌ＝ＢＮＣ  Ｒｅｌｅａｓｅ｝｝｝
ＩＴＵ−ＴＱとして、ＩＰベアラ又はＡＴＭベアラであるかどうかを判定することが可能である。１９５０ＢＣＰ／ＢＮＣＣｈａｒプロパティはＩＰベアラ又はＡＴＭベアラであるかどうかを示す。
【００２８】
さらに、以下の例に示すように、複合条件に関連する条件を使用することが可能である。
Ｃｏｎｔｅｘｔ＝ＡＬＬ｛Ｍｏｄｉｆｙ｛Ｔｅｒｍｉｎａｔｉｏｎ＝ＡＬＬ，Ｃｏｎｄｉｔｉｏｎ｛｛ＢＮＣＣｈａｒ＝ＡＡＬ２｝，｛ｔｈｒｅｅｇｕｐ／ｉｎｔｅｒｆａｃｅ＝ＣＮ｝，ＡＮＤ｝，ＳｉｇｎａｌＤｅｓｃｒｉｐｔｏｒ｛Ｓｉｇｎａｌ＝ＢＮＣ  Ｒｅｌｅａｓｅ｝｝｝
この実施例は、１つ前のケースと同じ状況に関連するが、解放ベアラがＡＴＭベアラ及びコアネットワーク側に必要とされるのみであり、一方でモバイルアクセス側に対しては必要とされない。３ＧＰＰ  ＴＳ２９．２３２ｔｈｒｅｅｇｕｐ／ｉｎｔｅｆａｃｅは、ネットワークインタフェースであるか、又は、アクセスインタフェースであるかを示す。
【００２９】
他の実施例として、メディアゲートウェイコントローラが、システムＨ．２４８．４１ｉｐｃｄ／ｒｅａｌｍによって識別される特定のＩＰドメインを扱うメディアゲートウェイにおいて全てのターミネイションを変更することを望んでもよい。
Ｃｏｎｔｅｘｔ＝ＡＬＬ｛Ｓｕｂｔｒａｃｔ｛Ｔｅｒｍｉｎａｔｉｏｎ＝ＡＬＬ，Ｃｏｎｄｉｔｉｏｎ｛ｉｐｄｃ／ｒｅａｌｍ＝ｄｏｍａｉｎ１｝｝｝
特有のドメインにおいて当該ドメインに属する全てのターミネイションを取り除くことが必要な問題が発生した場合には、特定のＩＰドメインへ属する全てのターミネイションを取り除くことが可能である。
【００３０】
条件を含むコマンドの他の実施例を以下に示す。
Ｃｏｎｔｅｘｔ＝ＡＬＬ｛Ｎｏｔｉｆｙ｛Ｔｅｒｍｉｎａｔｉｏｎ＝ＡＬＬ，Ｃｏｎｄｉｔｉｏｎ｛ｉｐｄｃ／ｒｅａｌｍ＝ｄｏｍａｉｎ１｝、ＥｖｅｎｔｓＤｅｓｃｒｉｐｔｏｒ｝｝
この実施例において、ＩＴＵ−Ｔ  Ｈ．２４８．４１  ｉｐｄｃ／ｒｅａｌｍプロパティによって識別されるように、特定のＩＰドメインに属する全てのターミネイションでイベントが送信される。
【００３１】
つまり、Ｈ．２４８制御プロトコルのコマンドにおける条件の使用は、最小数のメッセージを交換するだけで、いくつかのターミネイションの効果的なアドレス指定を可能とする。
【図１】
0005823866.tif 000002
【図２】
0005823866.tif 000003
【図３】
0005823866.tif 000004